(57)【要約】      （修正有）【課題】供給される酸素の漏出を抑制する密閉式吸痰セット及びその補気構造を提供する。【解決手段】密閉式吸痰セットは、両端の開口がそれぞれ気管に接続される接続部１１０と反対端側の排出部１２０をなす管状本体１００、酸素供給分岐管２００、吸痰管を挿通する貫通孔３１１、３２１を設けたスクレーパ３１０，３２０、洗浄水を供給する注水管を具え、酸素供給分岐管とスクレーパとの間に外気を導入する補気ユニット３３１を設ける。吸痰管を引き出して交換する際に、補気ユニットの開口から外気を導入して吸痰管による負圧を緩和し、酸素給分岐管から供給される酸素の漏出を低減する。【選択図】図２
0003177057.tif 000002
【実用新案登録請求の範囲】
【請求項１】
管状本体と、
該管状本体と連通する酸素供給分岐管と、
該管状本体内に固定され、該酸素供給分岐管との間に該管状本体の軸方向に沿って間隔を置いて設けられ、吸痰管を挿通する貫通孔を設けたスクレーパと、
該管状本体の該酸素供給分岐管と該スクレーパとの間に位置して設けられ、外気を導入して上記吸痰管による負圧を緩和する補気ユニットと、具えた密閉式吸痰セットの補気構造。
【請求項２】
前記補気ユニットが該管状本体に開設された貫通孔である請求項１に記載の密閉式吸痰セットの補気構造。
【請求項３】
前記補気ユニットが該管状本体に開設される錘状貫通孔であり、該補気ユニットの該管状本体外側の孔径が該管状本体内側の孔径より大きい請求項１に記載の密閉式吸痰セットの補気構造。
【請求項４】
前記補気ユニットが該管状本体に設置される不可逆弁であり、該補気ユニットの流通方法は、該管状本体外側から該管状本体内側に流れる請求項１に記載の密閉式吸痰セットの補気構造。
【請求項５】
更に、該管状本体内に固定され、且つ該酸素供給分岐管と上記スクレーパの間にさらにもう１つのスクレーパを具え、前記補気ユニットが上記スクレーパと該もう１つのスクレーパとの間に設けられる請求項１に記載の密閉式吸痰セットの補気構造。
【請求項６】
吸痰管に被せて接続して用いる密閉式吸痰セットであって、
両端に開口を有し、その相対する２つの開口端がそれぞれ接続部及び排出部をなす管状本体と、
該接続部及び該排出部の間で該管状本体と互いに連通する酸素供給分岐管と、
該排出部に固定され、吸痰管を挿通する第１貫通孔を開設した第１スクレーパと、
該排出部に固定され、且つ該酸素供給管と該第１スクレーパの間に位置して、吸痰管を挿通する第２貫通孔を開設した第２スクレーパと、
該酸素供給分岐管及び該第１スクレーパの間に位置して該管状本体に設けられ、外気を導入して吸痰管による負圧を緩和する補気ユニットと、
を具える密閉式吸痰セット。
【請求項７】
更に、前記排出部と互いに連通し且つ該第１スクレーパと該第２スクレーパの間に洗浄分岐管を具えた請求項６に記載の密閉式吸痰セット。
【請求項８】
前記補気ユニットが該管状本体に開設される貫通孔である請求項６に記載の密閉式吸痰セット。
【請求項９】
前記補気ユニットが該管状本体に開設される錘状貫通孔であり、該補気ユニットの該管状本体外側の孔径が該管状本体内側の孔径より大きい請求項６に記載の密閉式吸痰セット。
【請求項１０】
前記補気ユニットが該管状本体に設置される不可逆弁であり、該補気ユニットから導入される外気の流通方向は、該管状本体外側から該管状本体内側方向である請求項６に記載の密閉式吸痰セット。
【請求項１１】
前記補気ユニットが該第１スクレーパ及び該第２スクレーパの間に位置する請求項６に記載の密閉式吸痰セット。
【考案の詳細な説明】
【技術分野】
【０００１】
本考案は、密閉式吸痰セット及びその補気構造に関し、特に、補気ユニットを有する密閉式吸痰セット及びその補気構造に関する。
【背景技術】
【０００２】
吸痰セットは、気管切除患者に適用されるが、気管切除は、頸部切開し、管を挿入する外科手術であって、手術の目的は、管を通して直接肺呼吸を可能とすることにあるが、空気が鼻腔を経ずに直接気管を経由して肺に達するため、吸気に対する温暖湿潤機能に欠き、乾燥した空気が気管の分泌物と痰を増加させるので、吸痰管３０を呼吸経路に挿入し、吸痰する必要がある。
【０００３】
図１を参照する。現有の吸痰セットは、酸素供給管２０及び接続管１０に接続し、酸素供給管２０が酸素を供給し、且つ接続管１０から患者に対して酸素を供給し、接続管１０内に吸痰管３０を挿入して呼吸経路内の廃液を抽出する。吸痰管３０を交換する時、吸痰管３０の患者端を洗浄チャンバ６０内に引き出して注水洗浄し、廃液が吸痰管３０が提供する負圧により吸痰管３０から排出される。
【０００４】
従来の吸痰セットに存在する欠陥は、洗浄チャンバ６０及び酸素供給管２０が完全に隔離されておらず、廃液を抽出すると同時に一部の酸素が吸痰管３０から吸痰セットに漏出することにある。
【先行技術文献】
【特許文献】
【０００５】
【特許文献１】特開２０１０−４２０８２号公報
【考案の概要】
【考案が解決しようとする課題】
【０００６】
本考案の目的は、密閉式吸痰セットの補気構造を提供することにあり、その管状本体は、補気ユニットを有し、吸痰管が負圧を提供し、廃液を吸痰管から排出する時、管状本体外の空気が補気ユニットから管状本体内に流入して、漏出する酸素量を低減する。
【課題を解決するための手段】
【０００７】
上記の目的を達成する為、本考案が提供する密閉式吸痰セットの補気構造は、管状本体と、管状本体と連通する酸素供給分岐管と、管状本体内に固定され、酸素供給分岐管との間に管状本体の軸方向に沿って間隔を有するスクレーパと、管状本体に設けられ且つ酸素供給分岐管とスクレーパとの間に位置する補気ユニットとから構成される。
【０００８】
好ましくは、前記密閉式吸痰セットの補気構造は、その補気ユニットが管状本体に開設される貫通孔である。
【０００９】
好ましくは、前記密閉式吸痰セットの補気構造は、その補気ユニットが管状本体に開設される錘状貫通孔であり、補気ユニットの管状本体外側の孔径が管状本体内側の孔径より大きい。
【００１０】
好ましくは、前記密閉式吸痰セットの補気構造は、その補気ユニットが管状本体に設置される不可逆弁であり、補気ユニットの流通方法は、管状本体外側から管状本体内側に流れる。
【００１１】
好ましくは、前記密閉式吸痰セットの補気構造は、更に、管状本体内に固定され、且つ酸素供給分岐管とスクレーパの間に介するもう１つのスクレーパを具え、補気ユニットがスクレーパともう１つのスクレーパとの間に設けられる。
【００１２】
本考案のもう１つの目的は、密閉式吸痰セットを提供することにあり、その酸素供給分岐管は、酸素供給する酸素供給管に接続し、且つその管状本体が補気ユニットを有し、吸痰管が負圧を提供し、廃液を吸痰管から排出する時、管状本体外の空気が補気ユニットから管状本体内に流入し、漏出する酸素量を減少する。
【００１３】
上記の目的を達成する為、本考案が提供する密閉式吸痰セットは、吸痰管に被せ接続し、管状本体と、酸素供給分岐管と、第１スクレーパと、第２スクレーパと、補気ユニットとを具える。
【００１４】
管状本体は、接続部及び接続部と相対する排出部を具える。酸素供給分岐管及び管状本体は、互いに連通し、接続部及び排出部の間に介する。第１スクレーパが排出部内に固定され、第１スクレーパが第１貫通孔を開設する。第２スクレーパが排出部内に固定され且つ酸素供給分岐管及び第１スクレーパの間に位置し、第２スクレーパが第２貫通孔を開設し、吸痰管が排出部から第２貫通孔及び第２貫通孔を通過する。補気ユニットが管状本体に設けられ且つ酸素供給分岐管及び第１スクレーパの間に位置する。
【００１５】
好ましくは、前記密閉式吸痰セットが更に、排出部と連通し且つ第１スクレーパ及び第２スクレーパの間に介する洗浄分岐管を有する。
【００１６】
好ましくは、前記密閉式吸痰セットは、その補気ユニットが管状本体に開設される貫通孔である。
【００１７】
好ましくは、前記密閉式吸痰セットは、その補気ユニットが管状本体に開設される錘状貫通孔であり、補気ユニットの管状本体外側の孔径が管状本体内側の孔径より大きい。
【００１８】
好ましくは、前記密閉式吸痰セットは、その補気ユニットが管状本体に設置される不可逆弁であり、補気ユニットの流通方法は、管状本体外側から管状本体内側に流れる。
【００１９】
好ましくは、前記密閉式吸痰セットは、その補気ユニットが第１スクレーパ及び第２スクレーパの間に位置する。
【考案の効果】
【００２０】
従来技術に比較し、本考案の密閉式吸痰セットは、負圧を提供し、廃液を吸痰管から排出する時、管状本体外の空気が補気ユニットから管状本体内に流入し、漏出する酸素量を低減する。
【図面の簡単な説明】
【００２１】
【図１】従来の吸痰セットの断面図である。
【図２】本考案の第１実施例の密閉式吸痰セットの断面図である。
【図３】本考案の第１実施例の密閉式吸痰セットの他の形態の断面図である。
【図４】本考案の第１実施例の密閉式吸痰セットの動作状態の断面図である。
【図５】本考案の第２実施例の密閉式吸痰セットの補気構造中の洗浄チャンバの断面図である。
【図６】本考案の第３実施例の密閉式吸痰セットの補気構造中の洗浄チャンバの断面図である。
【考案を実施するための形態】
【００２２】
図２を参照する。本考案の第１実施例は、密閉式吸痰セットを提供し、吸痰管３０（図４参照、図２では略。）に被せて接続して用い、吸痰管３０が長さのある管であり、その管内を負圧として、吸痰管３０の開口を有する患者端３１を患者体内に挿入して負圧により患者体内の廃液を抽出する。
【００２３】
本考案の密閉式吸痰セットは、管状本体１００と、酸素供給分岐管２００と、第１スクレーパ３１０と、第２スクレーパ３２０と、補気ユニット３３１と、洗浄分岐管４００と、を具える。
【００２４】
管状本体１００は両端に開口を有し、その相対する２つの開口端がそれぞれ接続部１１０及び排出部１２０であり、接続部１１０を接続管１０に接続し、接続管１０を人体の気管の切開した部位に接続して、排出部１２０を収集袋５０に接続する（図４参照。）。
【００２５】
酸素供給分岐管２００の一端は、管状本体１００の分岐枝と接続部１１０及び排出部１２０の間で互いに連通し、酸素供給分岐管２００の他の端は酸素供給管２０に接続する（図４参照。）。  酸素供給管２０が管状本体１００内に酸素を送り込み、且つ接続管１０を経由して患者体内まで供給する。
【００２６】
第１スクレーパ３１０は、排出部１２０内の位置にあって排出部１２０の管壁内側に接続して排出部１２０内に固定され、第１スクレーパ３１０及び酸素供給分岐管２００の間において、排出部１２０の軸方向に沿って間隔３０１を有し、第１スクレーパ３１０には吸痰管３０を挿通する第１間通孔３１１を開設する。
第１間通孔３１１の孔径と吸痰管３０の外管径は略同一であり、吸痰管３０が第１貫通孔３１１を通過することができるようになっている。
好ましくは、本考案は、ただ１つのスクレーパ（その機能及び構造は、前記第１スクレーパ３１０のとおり）を設け、他のスクレーパ（第２スクレーパ３２０のとおり）を有さず、前記第１スクレーパ３１０のとおりのスクレーパと酸素供給分岐管２００の間に排出部１２０の軸方向に沿って間隔３０１を有することもできる。
【００２７】
第２スクレーパ３２０は、排出部１２０内で酸素供給分岐管２００及び第１スクレーパ３１０の間で排出部１２０の管壁内側に接続され、第１スクレーパ３１０及び第２スクレーパ３２０が並列設置され、排出部１２０内に第１スクレーパ３１０及び第２スクレーパ３２０の間の間隔をおいて洗浄チャンバ３３０を形成する。
第２スクレーパ３２０は、吸痰管３を挿通する第２貫通孔３２１を貫通開設する。
第２貫通孔３２１の孔径及び吸痰管３の外管径は略同一であり、吸痰管３０が第２貫通孔３２１を通過することができる。
吸痰管３０が収集袋５０内から排出部１２０へ入り、更に、第１貫通孔３１１、第２貫通孔３２１及び接続部１１０を順に通過して、その患者端３１が接続管１０に挿入され、患者体内から抽出された廃液を収集袋５０へ排出する（図４参照。）。
【００２８】
洗浄分岐管４００の一端が酸素供給分岐管２００及び第１スクレーパ３１０の間で排出部１２０と互いに連通する。本実施例において、洗浄分岐管４００は、第１スクレーパ３１０及び第２スクレーパ３２０の間で排出部１２０と互いに連通し、洗浄分岐管４００の他端が注水管４０に接続されて、洗浄チャンバ３３０内に注水する。
【００２９】
図２及び図３を参照する。
本実施例において、補気ユニット３３１は好ましくは貫通孔であり、管状本体１００の排出部１２０の管壁に第１スクレーパ３１０及び第２スクレーパ３２０の間に位置して開設され、洗浄チャンバ３３０内に空気を補充する。好ましくは、補気ユニット３３１は、排出部１２０管壁上の酸素供給分岐管２００及び第１スクレーパ３１０の間の任意の箇所に設けられることができ、例えば、図２中の補気ユニット３３１及び洗浄分岐管４００が洗浄チャンバ３３０内で相対して設置され、また、例えば、図３中の補気ユニット３３１及び洗浄分岐管４００は、洗浄チャンバ３３０中に互いに隣り合って設置される。
【００３０】
図４を参照する。
吸痰管３０によって接続管１０内から抽出する時、その患者端３１が洗浄チャンバ３３０内まで抽出する。患者端３１が第１スクレーパ３１０及び第２スクレーパ３２０を通過する時、患者端３１外表面に粘着する廃液が第１スクレーパ３１０及び第２スクレーパ３２０によりそぎ落とされ、第１貫通孔及び第２貫通孔に停滞する。注水管４０が洗浄水を洗浄分岐管４００から洗浄チャンバ３３０に注入し、患者端３１、第１スクレーパ３１０及び第２スクレーパ３２０を洗浄し、洗浄後の廃液が吸痰管３０から収集袋５０に抽出される。吸痰管３０が洗浄チャンバ３３０に対し、負圧を提供して廃液を抽出し、同時に洗浄チャンバ３３０外部の空気を補気ユニット３３１から第１スクレーパ３１０及び第２スクレーパ３２０の間の洗浄チャンバ３３０内に進入させるので、第２スクレーパの両側（接続部及び洗浄チャンバの間）の圧力差を低減し、第２貫通孔を通過して洗浄チャンバ３３０に流入して排出される酸素量を減少する。
【００３１】
図５に示すように、本考案の第２実施例は、密閉式吸痰セット補気構造を提供し、吸痰管３０に被せて接続し、吸痰管３０は、第１実施例に記載されるとおりである。
【００３２】
本考案の密閉式吸痰補気構造は、管状本体１００と、酸素供給分岐管２００と、第１スクレーパ３１０と、第２スクレーパ３２０と、洗浄分岐管４００と、補気ユニット３３１と、から構成する。本実施例において、管状本体１００と、酸素供給分岐管２００と、第１スクレーパ３１０と、第２スクレーパ３２０と、洗浄分岐管４００との構造及び相対する接続関係は、前記第１実施例のとおりであるので、ここでは再度記載しない。
本実施例及び第１実施例の異なる箇所は、以下のとおりである：補気ユニット３３１が管状本体１００の排出部１２０の管壁上に開設され且つ第１スクレーパ３１０及び第２スクレーパ３２０の間に位置して、洗浄チャンバ３３０内に空気を補充する。
補気ユニット３３１は、錘状貫通孔であり、補気ユニット３３１の排出部１２０外側の孔径が排出部１２０内側の孔径より大きく、補充される空気は単一方向へ排出部１２０外側から洗浄チャンバ３３０内に流入するが、洗浄チャンバ３３０内から流出することがない。
【００３３】
図６を参照する。
本考案の第３実施例は、密閉式吸痰補気構造を提供し、吸痰管３０に被せ接続することに用い、吸痰管３０は、第１実施例に記載するとおりである。
【００３４】
本考案の密閉式吸痰補気構造は、管状本体１００と、酸素供給分岐管２００と、第１スクレーパ３１０と、第２スクレーパ３２０と、洗浄分岐管４００と、補気ユニット３３１と、から構成する。
本実施例において、管状本体１００と、酸素供給分岐管２００と、第１スクレーパ３１０と、第２スクレーパ３２０と、洗浄分岐管４００との構造及び相対する接続関係は、前記第１実施例のとおりであるので、ここでは再度記載しない。本実施例と第１実施例の異なる箇所は、以下のとおりである：補気ユニット３３１が管状本体１００の排出部１２０の管壁上に設置され、且つ第１スクレーパ３１０及び第２スクレーパ３２０の間に位置し、洗浄チャンバ３３０内に空気を補充する。
補気ユニット３３１は、単一方向に流通する不可逆弁であり、その流通方向は、排出部１２０外側から排出部１２０内側へ流れ、補充される空気がただ単一方向に排出部１２０外側から洗浄チャンバ３３０内に流入し、洗浄チャンバ３３０内から流出することがない。
【００３５】
本考案の密閉式吸痰セット及びその補気構造は、洗浄チャンバ３３０壁に補気ユニットを設置することにより、吸痰管３０に負圧を提供し、廃液を抽出すると同時に、密閉式吸痰セット外部の空気が補気ユニット３３１を通過して洗浄チャンバ３３０に進入することによって、第１スクレーパの第１貫通孔を通過して排出される酸素量を減少し、従来技術の吸痰セットの廃液排出時に酸素が大量に漏出する欠陥を改善する。
【００３６】
なお、本考案では好ましい実施例を前述の通り開示したが、これらは本考案を限定するものではなく、当該技術を熟知する者なら誰でも、本考案の精神と領域を脱しない均等の範囲内で各種の変動や潤色を加えることができることは勿論である。
【符号の説明】
【００３７】
１０  接続管
２０  酸素供給管
３０  吸痰管
３１  患者端
４０  注水管
５０  収集袋
１００  管状本体
１１０  接続部
１２０  排出部
２００  酸素供給分岐管
３０１  間隔
３１０  第１スクレーパ
３３０，６０  洗浄チャンバ
３３１  補気ユニット
４００  洗浄分岐管
【図１】
0003177057.tif 000003
【図２】
0003177057.tif 000004
【図３】
0003177057.tif 000005
【図４】
0003177057.tif 000006
【図５】
0003177057.tif 000007
【図６】
0003177057.tif 000008